(57)【特許請求の範囲】
【請求項１】
移動体に設けられ、テレビ放送を録画する自動録画装置において、
前記テレビ放送を受信する受信手段と、
前記移動体の現在位置に関する情報を取得する取得手段と、
前記移動体の現在位置が前記移動体の利用者によって設定された所定地域か否かを判断する地域判断手段と、
前記移動体の現在位置が前記所定地域以外の地域であると判断された場合、前記テレビ放送内のコマーシャルメッセージの区間を判断する放送判断手段と、
前記コマーシャルメッセージの録画を行う録画手段と、
を備えることを特徴とする自動録画装置。
【請求項２】
前記所定地域は、前記移動体の利用者の自宅周辺地域であり、
前記地域判断手段は、前記テレビ放送内に、前記移動体の利用者によって設定された所定地域以外の方言が含まれるときに、前記移動体の利用者によって設定された所定地域以外の地域であると判断することを特徴とする請求項１に記載の自動録画装置。
【請求項３】
前記録画手段は、前記コマーシャルメッセージの録画を行っている際に、前記地域判断手段によって前記移動体の現在位置が前記移動体の利用者によって設定された所定地域に戻ったと判断された場合、前記コマーシャルメッセージの録画を終了することを特徴とする請求項１または２に記載の自動録画装置。
【請求項４】
前記録画手段によって録画された前記コマーシャルメッセージに前記移動体の現在位置に関する情報を関連付ける関連付け手段と、
前記移動体の現在位置に関する情報が関連付けられた前記コマーシャルメッセージをサーバに送信する送信手段と、
をさらに備えることを特徴とする請求項１〜３のいずれか一つに記載の自動録画装置。
【請求項５】
請求項１〜４のいずれか一つに記載の自動録画装置において録画されたコマーシャルメッセージを取得する取得手段と、
前記取得手段によって取得された前記コマーシャルメッセージを地域毎に振り分ける振り分け手段と、
前記振り分け手段によって前記地域毎に振り分けられた前記コマーシャルメッセージに関する情報を移動体の利用者に対して出力する出力手段と、
前記出力手段によって出力された前記コマーシャルメッセージに関する情報のうちの、前記利用者に選択された前記コマーシャルメッセージを、当該利用者に配信する配信手段と、
を備えることを特徴とするコマーシャルメッセージ配信サーバ。
【請求項６】
前記配信手段によって配信された前記コマーシャルメッセージに関する評価を前記利用者から受け付ける受付手段と、
前記コマーシャルメッセージに関する評価を、当該コマーシャルメッセージを放送した事業者に送信する送信手段と、
前記事業者に前記コマーシャルメッセージの代行放送料を請求する請求手段と、
をさらに備えることを特徴とする請求項５に記載のコマーシャルメッセージ配信サーバ。
【請求項７】
移動体に設けられ、テレビ放送を録画する自動録画装置における自動録画方法において、
前記テレビ放送を受信する受信工程と、
前記移動体の現在位置に関する情報を取得する取得工程と、
前記移動体の現在位置が前記移動体の利用者によって設定された所定地域か否かを判断する地域判断工程と、
前記移動体の現在位置が前記所定地域以外の地域であると判断された場合、前記テレビ放送内のコマーシャルメッセージの区間を判断する放送判断工程と、
前記コマーシャルメッセージの録画を行う録画工程と、
を含むことを特徴とする自動録画方法。
【請求項８】
移動体の現在位置に関する情報が関連付けられたコマーシャルメッセージを、請求項７に記載の自動録画方法を実行する自動録画装置から、取得する取得工程と、
前記取得工程によって取得された前記コマーシャルメッセージを地域毎に振り分ける振り分け工程と、
前記振り分け工程によって前記地域毎に振り分けられた前記コマーシャルメッセージに関する情報を前記移動体の利用者に対して出力する出力工程と、
前記出力工程によって出力された前記コマーシャルメッセージに関する情報のうちの、前記利用者に選択された前記コマーシャルメッセージを、当該利用者に配信する配信工程と、
を含むことを特徴とするコマーシャルメッセージ配信方法。
【請求項９】
請求項７に記載の自動録画方法をコンピュータに実行させることを特徴とする自動録画プログラム。
【請求項１０】
請求項８に記載のコマーシャルメッセージ配信方法をコンピュータに実行させることを特徴とするコマーシャルメッセージ配信プログラム。
【請求項１１】
請求項９に記載の自動録画プログラムまたは請求項１０に記載のコマーシャルメッセージ配信プログラムを記録したことを特徴とするコンピュータに読み取り可能な記録媒体。
【発明の詳細な説明】
【技術分野】
【０００１】
この発明は、自宅周辺地域以外で放送されているコマーシャルメッセージを自動的に録画する自動録画装置、コマーシャルメッセージ配信サーバ、自動録画方法、コマーシャルメッセージ配信方法、自動録画プログラム、コマーシャルメッセージ配信プログラムおよび記録媒体に関する。
【背景技術】
【０００２】
従来、車載デジタル放送受信機によって受信したデジタル放送の番組に、ナビゲーションユニットによって取得した車両の位置情報を関連付けてデータベースに記録する移動体デジタル放送受信システムが提案されている（例えば、下記特許文献１参照。）。この移動体デジタル放送受信システムによれば、再生制御部によって位置情報を目当てとしてデジタル放送の番組のシーンを頭出し再生する。
【０００３】
【特許文献１】特開２００７−７４３０１号公報
【発明の開示】
【発明が解決しようとする課題】
【０００４】
しかしながら、上述の特許文献１の技術では、車両の走行中に視聴できなかったデジタル放送の番組のシーンを、走行後に迅速に頭出し再生することはできるが、各地域で放送しているコマーシャルメッセージを自動的に録画し、収集することはできない。したがって、例えば、利用者が各地域のみで放送している面白いコマーシャルメッセージのみを視聴したい場合、その地域に訪問した際に、デジタル放送を録画して、その後に、利用者自身が、録画されたデジタル放送の中からコマーシャルメッセージの区間を検索し、視聴しなければならず、手間がかかるといった問題が挙げられる。
【課題を解決するための手段】
【０００５】
上述した課題を解決し、目的を達成するため、請求項１の発明にかかる自動録画装置は、移動体に設けられ、テレビ放送を録画する自動録画装置において、前記テレビ放送を受信する受信手段と、前記移動体の現在位置に関する情報を取得する取得手段と、前記移動体の現在位置が前記移動体の利用者によって設定された所定地域か否かを判断する地域判断手段と、前記移動体の現在位置が前記所定地域以外の地域であると判断された場合、前記テレビ放送内のコマーシャルメッセージの区間を判断する放送判断手段と、前記コマーシャルメッセージの録画を行う録画手段と、を備えることを特徴とする。
【０００６】
また、請求項５の発明にかかるコマーシャルメッセージ配信サーバは、請求項１〜４のいずれか一つに記載の自動録画装置において録画されたコマーシャルメッセージを取得する取得手段と、前記取得手段によって取得された前記コマーシャルメッセージを地域毎に振り分ける振り分け手段と、前記振り分け手段によって前記地域毎に振り分けられた前記コマーシャルメッセージに関する情報を移動体の利用者に対して出力する出力手段と、前記出力手段によって出力された前記コマーシャルメッセージに関する情報のうちの、前記利用者に選択された前記コマーシャルメッセージを、当該利用者に配信する配信手段と、を備えることを特徴とする。
【０００７】
また、請求項７の発明にかかる自動録画方法は、移動体に設けられ、テレビ放送を録画する自動録画装置における自動録画方法において、前記テレビ放送を受信する受信工程と、前記移動体の現在位置に関する情報を取得する取得工程と、前記移動体の現在位置が前記移動体の利用者によって設定された所定地域か否かを判断する地域判断工程と、前記移動体の現在位置が前記所定地域以外の地域であると判断された場合、前記テレビ放送内のコマーシャルメッセージの区間を判断する放送判断工程と、前記コマーシャルメッセージの録画を行う録画工程と、を含むことを特徴とする。
【０００８】
また、請求項８の発明にかかるコマーシャルメッセージ配信方法は、移動体の現在位置に関する情報が関連付けられたコマーシャルメッセージを、請求項７に記載の自動録画方法を実行する自動録画装置から、取得する取得工程と、前記取得工程によって取得された前記コマーシャルメッセージを地域毎に振り分ける振り分け工程と、前記振り分け工程によって前記地域毎に振り分けられた前記コマーシャルメッセージに関する情報を前記移動体の利用者に対して出力する出力工程と、前記出力工程によって出力された前記コマーシャルメッセージに関する情報のうちの、前記利用者に選択された前記コマーシャルメッセージを、当該利用者に配信する配信工程と、を含むことを特徴とする。
【０００９】
また、請求項９の発明にかかる自動録画プログラムは、請求項７に記載の自動録画方法をコンピュータに実行させることを特徴とする。
【００１０】
また、請求項１０の発明にかかるコマーシャルメッセージ配信プログラムは、請求項８に記載のコマーシャルメッセージ配信方法をコンピュータに実行させることを特徴とする。
【００１１】
また、請求項１１の発明にかかる記録媒体は、請求項９に記載の自動録画プログラムまたは請求項１０に記載のコマーシャルメッセージ配信プログラムをコンピュータに読み取り可能な状態で記録したことを特徴とする。
【発明を実施するための最良の形態】
【００１２】
以下に添付図面を参照して、この発明にかかる自動録画装置、コマーシャルメッセージ配信サーバ、自動録画方法、コマーシャルメッセージ配信方法、自動録画プログラム、コマーシャルメッセージ配信プログラムおよび記録媒体の好適な実施の形態を詳細に説明する。
【００１３】
（実施の形態１）
（自動録画装置の機能的構成）
まず、この発明の実施の形態１にかかる自動録画装置１００の機能的構成について説明する。図１は、実施の形態１にかかる自動録画装置１００の機能的構成を示すブロック図である。
【００１４】
図１において、移動体に設けられ、テレビ放送を録画する自動録画装置１００は、受信部１０１と、取得部１０２と、地域判断部１０３と、放送判断部１０４と、録画部１０５と、関連付け部１０６と、送信部１０７と、を備えている。
【００１５】
受信部１０１は、テレビ放送を受信する。受信部１０１は、例えばデジタル放送受信機を有しており、地上波デジタル放送などを受信する。１つの受信機で、例えば地上波デジタル放送のうちの１つのチャンネルを受信することができる。例えば、１つの受信機を有する場合、あらかじめ設定されたデフォルトチャンネルを受信するようにしてもよいし、後述する地域判断部１０３によって地域が変わったと判断された場合に、新たに受信可能となったチャンネルを受信するようにしてもよい。また、受信機は複数でもよく、この場合、同時に複数のチャンネルを受信してもよい。また、受信機によって受信可能なチャンネルは、例えば都道府県などの地域毎に異なっている場合もあり、それぞれのチャンネルで事業者が異なっていてもよい。
【００１６】
取得部１０２は、移動体の現在位置に関する情報を取得する。移動体の現在位置に関する情報は、具体的には、例えば移動体に備えられたＧＰＳユニットや加速度センサなどによって取得される。また、取得部１０２は、図示しない記憶部に記憶された地図データに基づいて、移動体の現在位置に対応する地図データ上の地点を取得してもよい。地図データは、ノードおよびリンクからなる道路ネットワークデータと、施設や道路その他地形（山、川、土地）に関するフィーチャを用いて描画される画像データとを含んでいる。地図データは、文字情報、施設の名称や住所などの情報、道路や施設の画像などを含んでいてもよい。
【００１７】
地域判断部１０３は、移動体の現在位置が所定地域以外の地域か否かを判断する。ここで、所定地域は、移動体の利用者によって設定された地域であり、例えば移動体の利用者の自宅周辺地域である。また、自宅周辺地域とは、例えば利用者の自宅のある都道府県、または関東や東北などの広域な地域などの、自宅から所定範囲内の地域である。また、地域判断部１０３は、移動体の現在位置が地域の境界から所定距離以内になった場合に、地域が変わったと判断してもよい。すなわち、地域判断部１０３は、例えば利用者が自宅のある都道府県から、他の都道府県または他の都道府県の県境から所定距離以内に到達した場合、移動体の現在位置が所定地域以外の地域であると判断する。
【００１８】
また、地域判断部１０３は、受信部１０１によって受信されたテレビ放送内に、所定地域以外の方言が含まれるときに、所定地域以外の地域であると判断する。具体的には、例えば、テレビ放送の音声情報を音声解析して、図示しない記憶部に記憶された方言データベースに基づいて、テレビ放送内に、所定地域以外の方言が検出された場合に、移動体の現在位置が所定地域以外の地域であると判断する。ここで、方言データベースの記憶された記憶部は、地図データが記憶された記憶部と同体でもよいし別体でもよい。
【００１９】
放送判断部１０４は、地域判断部１０３によって移動体の現在位置が所定地域以外の地域であると判断された場合、テレビ放送内のコマーシャルメッセージの区間を判断する。具体的には、例えば、テレビ放送がステレオ放送からモノラル放送に変わったときから、ステレオ放送に戻るまでの区間を、コマーシャルメッセージの区間であると判断してもよい。
【００２０】
また、放送判断部１０４は、例えば、テレビ放送内のシーンチェンジを検出して、シーンチェンジが検出されてから、一般的なコマーシャルメッセージの時間である１５秒または３０秒経った後に再度シーンチェンジが検出された場合に、その区間をコマーシャルメッセージの区間であると判断してもよい。
【００２１】
また、放送判断部１０４は、例えばテレビ放送に含まれる音声情報を音声解析して、上述の方言データベースと一致した場合に、コマーシャルメッセージの区間であると判断してもよい。
【００２２】
また、放送判断部１０４は、例えば、テレビ放送が地上波デジタル放送の場合、テレビ放送とともに受信される番組表に基づいて、番組の冒頭、番組の開始から１５分毎または３０分毎をコマーシャルメッセージの区間である可能性が高いとして、この付近のみの判断を行ってもよい。
【００２３】
録画部１０５は、コマーシャルメッセージの録画を行う。録画部１０５は、例えば、受信部１０１によって受信されたテレビ放送をあらかじめ録画しておいて、録画されたテレビ放送内の、放送判断部１０４によってコマーシャルメッセージの区間であると判断された区間のみ、複製するようにしてもよい。
【００２４】
また、録画部１０５は、コマーシャルメッセージの録画を行っている際に、地域判断部１０３によって移動体の現在位置が所定地域に戻ったと判断された場合、コマーシャルメッセージの録画を終了する。録画部１０５は、例えば、所定地域に戻ったと判断されたときに、コマーシャルメッセージが放送されている途中の場合、そのコマーシャルメッセージが終了した時点で録画を終了してもよい。また、録画部１０５は、所定地域に戻ったと判断された後に、戻る前の地域のテレビ放送波を受信できなくなったときに、録画を終了してもよい。
【００２５】
関連付け部１０６は、録画部１０５によって録画されたコマーシャルメッセージに移動体の現在位置に関する情報を関連付ける。関連付け部１０６は、具体的には、例えば、取得部１０２によって取得された移動体の現在位置に関する情報のうちの、都道府県または詳細な住所などを、録画されたコマーシャルメッセージに関連付ける。また、関連付け部１０６は、録画部１０５によって録画されたコマーシャルメッセージに、コマーシャルメッセージが放送された時間を関連付けてもよい。コマーシャルメッセージが放送された時間は、コマーシャルメッセージが開始した時刻でもよいし、コマーシャルメッセージが放送されている間の時間でもよい。コマーシャルメッセージが放送された時間は、例えば、録画部１０５によって録画を開始したときの時間を図示しないタイマーなどによって計時してもよいし、番組表から時間に関する情報を取得してもよい。
【００２６】
送信部１０７は、関連付け部１０６によって、移動体の現在位置に関する情報が関連付けられたコマーシャルメッセージをサーバに送信する。サーバは、例えば、後述するコマーシャルメッセージ配信サーバ３００でもよい。送信部１０７は、具体的には、例えば、インターネットや、携帯、無線ＬＡＮ、次世代無線などの無線通信を介して、コマーシャルメッセージをサーバに送信する。
【００２７】
（自動録画装置の自動録画処理手順）
つぎに、自動録画装置１００の自動録画処理手順について説明する。図２は、自動録画装置の自動録画処理手順を示すフローチャートである。図２のフローチャートにおいて、まず、受信部１０１によってテレビ放送を受信する（ステップＳ２０１）。また、取得部１０２によって移動体の現在位置に関する情報を取得する（ステップＳ２０２）。ついで、地域判断部１０３によって、ステップＳ２０２において取得された移動体の現在位置が所定地域以外の地域か否かを判断する（ステップＳ２０３）。ステップＳ２０３において所定地域以外の地域ではないと判断された場合（ステップＳ２０３：Ｎｏ）、ステップＳ２０２に戻り、以降の処理を繰り返し行う。
【００２８】
一方、ステップＳ２０３において所定地域以外の地域であると判断された場合（ステップＳ２０３：Ｙｅｓ）、放送判断部１０４によって、テレビ放送内のコマーシャルメッセージの区間を判断する（ステップＳ２０４）。そして、録画部１０５によって、コマーシャルメッセージの録画を行う（ステップＳ２０５）。
【００２９】
ついで、関連付け部１０６によって、ステップＳ２０５において録画されたコマーシャルメッセージに、ステップＳ２０２において取得された移動体の現在位置に関する情報を関連付ける（ステップＳ２０６）。そして、送信部１０７によって、ステップＳ２０６において移動体の現在位置に関する情報が関連付けられたコマーシャルメッセージをサーバに送信し（ステップＳ２０７）、一連の処理を終了する。
【００３０】
なお、図２のフローチャートにおいては、ステップＳ２０７を省略してもよい。この場合、例えば、録画されたコマーシャルメッセージに、移動体の現在位置に関する情報を関連付けて、一連の処理を終了してもよい。
【００３１】
また、図２のフローチャートにおいては、ステップＳ２０３において所定地域以外の地域か否かを判断するとしているが、このときに、地域判断部１０３によって、テレビ放送内に、所定地域以外の方言が含まれるときに、所定地域以外の地域であると判断してもよい。
【００３２】
また、図２のフローチャートにおいては、ステップＳ２０５においてコマーシャルメッセージの録画を行う際に、地域判断部１０３によって移動体の現在位置が所定地域に戻ったと判断された場合、コマーシャルメッセージの録画を終了してもよい。
【００３３】
上述したように、実施の形態１にかかる自動録画装置１００によれば、取得部１０２によって取得された移動体の現在位置に関する情報に基づいて、地域判断部１０３によって移動体の現在位置が所定地域以外の地域か否かを判断する。そして、移動体の現在位置が所定地域以外の地域であると判断された場合、放送判断部１０４によってテレビ放送内のコマーシャルメッセージの区間を判断し、録画部１０５によってコマーシャルメッセージの録画を行うことができる。したがって、例えば移動体が、移動体の利用者の自宅周辺地域以外の地域を移動している場合に、コマーシャルメッセージを自動的に録画することができる。これによって、利用者は、各地域でのみ放送している面白いコマーシャルメッセージや、珍しいコマーシャルメッセージを収集することができる。
【００３４】
また、実施の形態１にかかる自動録画装置１００によれば、地域判断部１０３によって、テレビ放送内に、所定地域以外の方言が含まれるときに、所定地域以外の地域であると判断することができる。したがって、例えば、テレビ放送内の番組やコマーシャルメッセージに自宅周辺地域以外の方言が含まれる場合、コマーシャルメッセージの録画を行うことができる。これによって、利用者は、自宅周辺地域以外のコマーシャルメッセージをより確実に収集することができる。
【００３５】
また、実施の形態１にかかる自動録画装置１００によれば、録画部１０５によってコマーシャルメッセージの録画を行っている際に、地域判断部１０３によって移動体の現在位置が所定地域に戻ったと判断された場合、コマーシャルメッセージの録画を終了することができる。これによって、利用者は、自宅周辺地域で放送されており、いつでも視聴可能なコマーシャルメッセージを省き、自宅周辺地域以外のコマーシャルメッセージのみを収集することができるので、録画されたコマーシャルメッセージを検索・管理しやすくなる。
【００３６】
また、実施の形態１にかかる自動録画装置１００によれば、録画部１０５によって録画されたコマーシャルメッセージに、関連付け部１０６によって移動体の現在位置に関する情報を関連付けて、送信部１０７によって移動体の現在位置に関する情報が関連付けられたコマーシャルメッセージをサーバに送信することができる。したがって、各地域で放送されているコマーシャルメッセージを、サーバで管理させることができる。これによって、利用者は、自身が訪問していない地域のコマーシャルメッセージなど、より多くのコマーシャルメッセージを視聴することができる。
【００３７】
（実施の形態２）
（コマーシャルメッセージ配信サーバの機能的構成）
まず、この発明の実施の形態２にかかるコマーシャルメッセージ配信サーバ３００の機能的構成について説明する。図３は、実施の形態２にかかるコマーシャルメッセージ配信サーバの機能的構成を示すブロック図である。図３において、コマーシャルメッセージ配信サーバ３００は、取得部３０１と、振り分け部３０２と、出力部３０３と、配信部３０４と、受付部３０５と、送信部３０６と、請求部３０７と、を備えている。
【００３８】
取得部３０１は、移動体の現在位置に関する情報が関連付けられたコマーシャルメッセージを取得する。具体的には、例えば、図１に示す自動録画装置１００の備える送信部１０７によって送信された、移動体の現在位置に関する情報が関連付けられたコマーシャルメッセージを取得する。取得部３０１は、具体的には、例えば、インターネットや、携帯、無線ＬＡＮ、次世代無線などの無線通信を介して、コマーシャルメッセージを取得する。
【００３９】
振り分け部３０２は、取得部３０１によって取得されたコマーシャルメッセージを地域毎に振り分ける。ここで、地域毎とは、例えば、都道府県毎や、関東・東北などの広域の地域毎でもよいし、テレビ放送を放送している事業者毎でもよい。
【００４０】
出力部３０３は、振り分け部３０２によって地域毎に振り分けられたコマーシャルメッセージに関する情報を移動体の利用者に対して出力する。ここで、移動体の利用者は、図１に示す自動録画装置１００を備えた移動体の利用者でもよい。また、出力部３０３は、コマーシャルメッセージを地域毎にインデックス表示してもよい。
【００４１】
配信部３０４は、出力部３０３によって出力されたコマーシャルメッセージに関する情報のうちの、利用者に選択されたコマーシャルメッセージを、利用者に配信する。配信部３０４は、具体的には、例えば、インデックス表示されたコマーシャルメッセージのうちの、選択されたコマーシャルメッセージを、選択した利用者に配信する。また、配信部３０４は、コマーシャルメッセージをダウンロードさせてもよいし、ストリーミング再生させてもよい。
【００４２】
受付部３０５は、配信部３０４によって配信されたコマーシャルメッセージに関する評価を利用者から受け付ける。コマーシャルメッセージに関する評価は、例えば、５点満点や１０満点の点数でもよいし、例えば、点数ではなく「○（面白い）」か「×（面白くない）」かの評価でもよい。また、受付部３０５は、配信部３０４によって配信された回数が多いコマーシャルメッセージを評価が高いと判断してもよい。さらに、受付部３０５によって受け付けられた評価を集計し、コマーシャルメッセージのランク付けをしてもよい。
【００４３】
送信部３０６は、コマーシャルメッセージに関する評価を、そのコマーシャルメッセージを放送した事業者に送信する。送信部３０６は、受付部３０５によってコマーシャルメッセージに関する評価が受け付けられる度に、送信してもよいし、例えば、所定期間毎に評価の集計結果や各コマーシャルメッセージのランクを送信してもよい。また、送信部３０６は、配信部３０４によってコマーシャルメッセージが利用者に配信されたか否かの情報を、そのコマーシャルメッセージを放送した事業者に送信してもよい。
【００４４】
請求部３０７は、事業者にコマーシャルメッセージの代行放送料を請求する。請求部３０７は、例えば、コマーシャルメッセージを放送している事業者の放送地域外の利用者に、コマーシャルメッセージ配信サーバ３００がコマーシャルメッセージを配信した場合、その事業者に代行放送料を請求する。
【００４５】
（コマーシャルメッセージ配信サーバのコマーシャルメッセージ配信処理手順）
つぎに、コマーシャルメッセージ配信サーバ３００のコマーシャルメッセージ配信処理手順について説明する。図４は、コマーシャルメッセージ配信サーバのコマーシャルメッセージ配信処理手順を示すフローチャートである。図４のフローチャートにおいて、まず、取得部３０１によって、移動体の現在位置に関する情報が関連付けられたコマーシャルメッセージを取得する（ステップＳ４０１）。ついで、振り分け部３０２によって、ステップＳ４０１において取得されたコマーシャルメッセージを地域毎に振り分ける（ステップＳ４０２）。そして、出力部３０３によって、ステップＳ４０２において地域毎に振り分けられたコマーシャルメッセージに関する情報を移動体の利用者に対して出力する（ステップＳ４０３）。
【００４６】
ついで、配信部３０４によって、ステップＳ４０３において出力されたコマーシャルメッセージに関する情報のうちの、利用者に選択されたコマーシャルメッセージを、利用者に配信する（ステップＳ４０４）。そして、受付部３０５によって、ステップＳ４０４において配信されたコマーシャルメッセージに関する評価を利用者から受け付ける（ステップＳ４０５）。
【００４７】
さらに、送信部３０６によって、ステップＳ４０５において受け付けられたコマーシャルメッセージに関する評価を、そのコマーシャルメッセージを放送した事業者に送信する（ステップＳ４０６）。そして、請求部３０７によって、コマーシャルメッセージを放送した事業者にコマーシャルメッセージの代行放送料を請求し（ステップＳ４０７）、一連の処理を終了する。
【００４８】
なお、図４のフローチャートにおいては、ステップＳ４０５において評価を受け付けるとしているが、これに限るものではない。例えば、ステップＳ４０５において評価を受け付けない場合、ステップＳ４０６においてコマーシャルメッセージが利用者に配信されたか否かの情報を、事業者に送信してもよい。
【００４９】
また、図４のフローチャートにおいては、ステップＳ４０７において事業者に代行放送料を請求するとしているが、これに限るものではない。例えば、ステップＳ４０４においてコマーシャルメッセージを配信した利用者が、このコマーシャルメッセージの放送地域以外の利用者の場合にのみ、事業者に代行放送料を請求してもよい。
【００５０】
上述したように、実施の形態２にかかるコマーシャルメッセージ配信サーバ３００によれば、取得部３０１によって取得された移動体の現在位置に関する情報が関連付けられたコマーシャルメッセージを、振り分け部３０２によって地域毎に振り分けて、出力部３０３によってコマーシャルメッセージに関する情報を移動体の利用者に対して出力する。そして、出力されたコマーシャルメッセージに関する情報のうちの、利用者に選択されたコマーシャルメッセージを、配信部３０４によって利用者に配信することができる。したがって、例えば利用者に対して、地域毎に振り分けたコマーシャルメッセージをインデックス表示し、インデックス表示内から利用者によって選択されたコマーシャルメッセージがある場合、選択されたコマーシャルメッセージを利用者に配信することができる。これによって、利用者は、様々な地域のコマーシャルメッセージを簡単に検索して視聴することができる。
【００５１】
また、実施の形態２にかかるコマーシャルメッセージ配信サーバ３００によれば、配信部３０４によって配信されたコマーシャルメッセージに関する評価を、受付部３０５によって利用者から受け付けて、送信部３０６によってこのコマーシャルメッセージに関する評価を、コマーシャルメッセージを放送した事業者に送信する。そして、請求部３０７によって事業者にコマーシャルメッセージの代行放送料を請求することができる。したがって、事業者に代行して、コマーシャルメッセージが放送されていない地域の利用者にコマーシャルメッセージを配信し、代行した放送料金を事業者に請求することができる。また、事業者は、利用者に好まれるコマーシャルメッセージを知ることができる。さらに、事業者は、コマーシャルメッセージを放送していない地域の利用者にも、コマーシャルメッセージを視聴させることができる。
【実施例】
【００５２】
以下に、本発明の実施例について説明する。本実施例では、例えば、車両（四輪車、二輪車を含む）などの移動体に搭載されるナビゲーション装置によって、本発明の自動録画装置を実施し、車両などの移動体に搭載されるナビゲーション装置にコマーシャルメッセージ（以下、ＣＭとする）を配信するＣＭ配信サーバによって、本発明のコマーシャルメッセージ配信サーバを実施した場合の一例について説明する。
【００５３】
（ＣＭ配信システムの概要）
図５は、ＣＭ配信システムの概要について示す説明図である。図５に示すように、ＣＭ配信システム５００は、ナビゲーション装置５０１と、ＣＭ配信サーバ５０２と、事業者５０３と、から構成されている。ナビゲーション装置５０１とＣＭ配信サーバ５０２は、インターネットや無線通信などのネットワーク５１０を介して接続されている。また、ＣＭ配信サーバ５０２と事業者５０３は、ネットワーク５１０を介して接続されていてもよい。ナビゲーション装置５０１は、複数あってもよく、この場合、それぞれ異なる利用者の搭乗する移動体に搭載されていてもよい。
【００５４】
（ナビゲーション装置のハードウェア構成）
つぎに、本実施例にかかるナビゲーション装置５０１のハードウェア構成について説明する。図６は、本実施例にかかるナビゲーション装置のハードウェア構成を示すブロック図である。図６において、ナビゲーション装置５０１は、ＣＰＵ６０１と、ＲＯＭ６０２と、ＲＡＭ６０３と、磁気ディスクドライブ６０４と、磁気ディスク６０５と、光ディスクドライブ６０６と、光ディスク６０７と、音声Ｉ／Ｆ（インターフェース）６０８と、マイク６０９と、スピーカ６１０と、入力デバイス６１１と、映像Ｉ／Ｆ６１２と、ディスプレイ６１３と、通信Ｉ／Ｆ６１４と、ＧＰＳユニット６１５と、各種センサ６１６と、カメラ６１７と、を備えている。各構成部６０１〜６１７は、バス６２０によってそれぞれ接続されている。
【００５５】
まず、ＣＰＵ６０１は、ナビゲーション装置５０１の全体の制御を司る。ＲＯＭ６０２は、ブートプログラム、データ更新プログラム、エリア判断プログラム、ＣＭ区間判断プログラム、ＣＭ録画プログラムなどのプログラムを記録している。また、ＲＡＭ６０３は、ＣＰＵ６０１のワークエリアとして使用される。すなわち、ＣＰＵ６０１は、ＲＡＭ６０３をワークエリアとして使用しながら、ＲＯＭ６０２に記録された各種プログラムを実行することによって、ナビゲーション装置５０１の全体の制御を司る。
【００５６】
エリア判断プログラムは、車両の現在位置が、車両の利用者の自宅周辺エリアか否かを判断させる。具体的には、例えば、後述するＧＰＳユニット６１５や各種センサ６１６によって算出された車両の現在位置が、地図データに基づいて、利用者の自宅のある都道府県または関東や東北などの広域な地域とは異なる都道府県または地域か否かを判断させる。また、エリア判断プログラムは、テレビ放送内に、利用者の自宅周辺エリアとは異なるエリアの方言が検出された場合、車両の現在位置が利用者の自宅周辺エリア以外であると判断させる。
【００５７】
ＣＭ区間判断プログラムは、テレビ放送内のＣＭ区間を判断させる。具体的には、例えば、テレビ放送がステレオ放送からモノラル放送に変わってから、ステレオ放送に戻るまでの区間を、ＣＭ区間であると判断させる。また、ＣＭ区間判断プログラムは、テレビ放送内のシーンチェンジを検出し、シーンチェンジが検出されてから、一般的なＣＭの放送時間である１５秒または３０秒経った後に再度シーンチェンジが検出された場合に、その区間をＣＭ区間であると判断させる。また、ＣＭ区間判断プログラムは、例えばテレビ放送に含まれる音声情報を音声解析して、各地域毎の方言が記録された方言データベースと一致した場合に、ＣＭ区間であると判断させる。
【００５８】
ＣＭ録画プログラムは、ＣＭ区間判断プログラムによってＣＭ区間であると判断された区間を録画させる。ＣＭ録画プログラムは、例えば地域判断プログラムによって、車両の現在位置が利用者の自宅周辺エリア以外に入ってから、自宅周辺エリアに戻ってくるまでの間、テレビ放送を録画させて、この録画されたテレビ放送のうちの、ＣＭ区間判断プログラムによってＣＭ区間と判断された部分を、複製（コピー）させる構成でもよい。また、ＣＭ録画プログラムは、録画されたＣＭ区間に、このＣＭが放送されたときの、時間情報および車両の位置情報を関連付けて録画させてもよい。
【００５９】
磁気ディスクドライブ６０４は、ＣＰＵ６０１の制御にしたがって磁気ディスク６０５に対するデータの読み取り／書き込みを制御する。磁気ディスク６０５は、磁気ディスクドライブ６０４の制御で書き込まれたデータを記録する。磁気ディスク６０５としては、例えば、ＨＤ（ハードディスク）やＦＤ（フレキシブルディスク）を用いることができる。
【００６０】
また、光ディスクドライブ６０６は、ＣＰＵ６０１の制御にしたがって光ディスク６０７に対するデータの読み取り／書き込みを制御する。光ディスク６０７は、光ディスクドライブ６０６の制御にしたがってデータが読み出される着脱自在な記録媒体である。光ディスク６０７は、書き込み可能な記録媒体を利用することもできる。着脱可能な記録媒体として、光ディスク６０７のほか、ＭＯ、メモリカードなどであってもよい。
【００６１】
磁気ディスク６０５および光ディスク６０７に記録される情報の一例としては、地図データや機能データが挙げられる。地図データは、建物、河川、地表面などの地物（フィーチャ）をあらわす背景データと、道路の形状をあらわす道路形状データとを含んでおり、地区毎に分けられた複数のデータファイルによって構成されている。
【００６２】
道路形状データは、さらに交通条件データを有する。交通条件データには、例えば、各ノードについて、信号や横断歩道などの有無、高速道路の出入り口やジャンクションの有無、各リンクについての長さ（距離）、道幅、進行方向、道路種別（高速道路、有料道路、一般道路など）などの情報が含まれている。
【００６３】
機能データは、地図上の施設の形状をあらわす３次元データ、当該施設の説明をあらわす文字データ、その他地図データ以外の各種のデータである。地図データや機能データは、地区毎あるいは機能毎にブロック分けされた状態で記録されている。具体的には、例えば、地図データは、各々が、表示画面に表示された地図において所定の地区をあらわすように、地区毎にブロック分けすることができる状態で記録されている。また、例えば、機能データは、各々が、１つの機能を実現するように、機能毎に複数にブロック分けすることができる状態で記録されている。
【００６４】
また、機能データは、上述した３次元データや文字データに加えて、経路探索、所要時間の算出、経路誘導などを実現するプログラムデータなどの機能を実現するためのデータである。地図データおよび機能データは、それぞれ、地区毎あるいは機能毎に分けられた複数のデータファイルによって構成されている。
【００６５】
また、磁気ディスク６０５および光ディスク６０７に記録される情報の他の一例としては、テレビ放送が挙げられる。テレビ放送は、事業者の運営する放送局から配信される、映像情報、音声情報や文字情報などである。また、テレビ放送には、番組区間と、ＣＭ区間と、が含まれていてもよい。
【００６６】
音声Ｉ／Ｆ６０８は、音声入力用のマイク６０９および音声出力用のスピーカ６１０に接続される。マイク６０９に受音された音声は、音声Ｉ／Ｆ６０８内でＡ／Ｄ変換される。マイク６０９は、例えば、車両のサンバイザー付近に設置され、その数は単数でも複数でもよい。スピーカ６１０からは、所定の音声信号を音声Ｉ／Ｆ６０８内でＤ／Ａ変換した音声が出力される。なお、マイク６０９から入力された音声は、音声データとして磁気ディスク６０５あるいは光ディスク６０７に記録可能である。
【００６７】
入力デバイス６１１は、文字、数値、各種指示などの入力のための複数のキーを備えたリモコン、キーボード、タッチパネルなどが挙げられる。入力デバイス６１１は、リモコン、キーボード、タッチパネルのうちいずれか１つの形態によって実現されてもよいが、複数の形態によって実現することも可能である。
【００６８】
映像Ｉ／Ｆ６１２は、ディスプレイ６１３に接続される。映像Ｉ／Ｆ６１２は、具体的には、例えば、ディスプレイ６１３全体を制御するグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいてディスプレイ６１３を制御する制御ＩＣなどによって構成される。
【００６９】
ディスプレイ６１３には、アイコン、カーソル、メニュー、ウインドウ、あるいは文字や画像などの各種データが表示される。ディスプレイ６１３には、上述した地図データが、２次元または３次元に描画される。ディスプレイ６１３に表示された地図データには、ナビゲーション装置５０１を搭載した車両の現在位置をあらわすマークなどを重ねて表示することができる。車両の現在位置は、ＣＰＵ６０１によって算出される。
【００７０】
ディスプレイ６１３としては、例えば、ＣＲＴ、ＴＦＴ液晶ディスプレイ、プラズマディスプレイなどを用いることができる。ディスプレイ６１３は、例えば、車両のダッシュボード付近に設置される。ディスプレイ６１３は、車両のダッシュボード付近のほか、車両の後部座席周辺などに設置するなどして、車両において複数設置されていてもよい。
【００７１】
通信Ｉ／Ｆ６１４は、無線を介してネットワークに接続され、ナビゲーション装置５０１とＣＰＵ６０１とのインターフェースとして機能する。通信Ｉ／Ｆ６１４は、さらに、無線を介してインターネットなどの通信網に接続され、この通信網とＣＰＵ６０１とのインターフェースとしても機能する。
【００７２】
通信網には、ＬＡＮ、ＷＡＮ、公衆回線網や携帯電話網などがある。具体的には、通信Ｉ／Ｆ６１４は、例えば、ＦＭチューナー、ＶＩＣＳ（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ）／ビーコンレシーバ、無線ナビゲーション装置、およびその他のナビゲーション装置によって構成され、ＶＩＣＳセンターから配信される渋滞や交通規制などの道路交通情報を取得する。なお、ＶＩＣＳは登録商標である。
【００７３】
ＧＰＳユニット６１５は、ＧＰＳ衛星からの電波を受信し、車両の現在位置を示す情報を出力する。ＧＰＳユニット６１５の出力情報は、後述する各種センサ６１６の出力値とともに、ＣＰＵ６０１による車両の現在位置の算出に際して利用される。現在位置を示す情報は、例えば緯度・経度、高度などの、地図データ上の１点を特定する情報である。
【００７４】
各種センサ６１６は、車速センサ、加速度センサ、角速度センサなどの、車両の位置や挙動を判断するための情報を出力する。各種センサ６１６の出力値は、ＣＰＵ６０１による車両の現在位置の算出や、速度や方位の変化量の算出に用いられる。
【００７５】
カメラ６１７は、車両内部あるいは外部の映像を撮影する。映像は静止画あるいは動画のどちらでもよく、例えば、カメラ６１７によって車両内部の搭乗者の挙動を撮影し、撮影した映像を映像Ｉ／Ｆ６１２を介して磁気ディスク６０５や光ディスク６０７などの記録媒体に出力する。また、カメラ６１７によって車両外部の状況を撮影し、撮影した映像を映像Ｉ／Ｆ６１２を介して磁気ディスク６０５や光ディスク６０７などの記録媒体に出力する。また、カメラ６１７は、赤外線カメラ機能を有しており、赤外線カメラ機能を用いて撮影された映像情報に基づいて車両内部に存在する物体の表面温度の分布を相対的に比較することができる。また、記録媒体に出力された映像は、上書き記録や保存が行われる。
【００７６】
図１に示した自動録画装置１００が備える受信部１０１、取得部１０２、地域判断部１０３、放送判断部１０４、録画部１０５、関連付け部１０６、送信部１０７は、図６に示したナビゲーション装置５０１におけるＲＯＭ６０２、ＲＡＭ６０３、磁気ディスク６０５、光ディスク６０７などに記録されたプログラムやデータを用いて、ＣＰＵ６０１が所定のプログラムを実行し、ナビゲーション装置５０１における各部を制御することによってその機能を実現する。
【００７７】
すなわち、実施例のナビゲーション装置５０１は、ナビゲーション装置５０１における記録媒体としてのＲＯＭ６０２に記録されている自動録画プログラムを実行することにより、図１に示した自動録画装置が備える機能を、図２に示した自動録画処理手順で実行することができる。
【００７８】
（ＣＭ配信サーバのハードウェア構成）
つぎに、本実施例にかかるＣＭ配信サーバ５０２のハードウェア構成について説明する。図７は、本実施例にかかるＣＭ配信サーバのハードウェア構成を示すブロック図である。図７において、ＣＭ配信サーバ５０２は、ＣＰＵ７０１と、ＲＯＭ７０２と、ＲＡＭ７０３と、磁気ディスクドライブ７０４と、磁気ディスク７０５と、光ディスクドライブ７０６と、光ディスク７０７と、音声Ｉ／Ｆ（インターフェース）７０８と、スピーカ７０９と、入力デバイス７１０と、映像Ｉ／Ｆ７１１と、ディスプレイ７１２と、通信Ｉ／Ｆ７１３と、を備えている。各構成部７０１〜７１３は、バス７２０によってそれぞれ接続されている。
【００７９】
まず、ＣＰＵ７０１は、ＣＭ配信サーバ５０２の全体の制御を司る。ＲＯＭ７０２は、ブートプログラム、データ更新プログラム、エリア振り分けプログラム、放送代行料請求プログラム、評価点集計プログラムなどのプログラムを記録している。また、ＲＡＭ７０３は、ＣＰＵ７０１のワークエリアとして使用される。すなわち、ＣＰＵ７０１は、ＲＡＭ７０３をワークエリアとして使用しながら、ＲＯＭ７０２に記録された各種プログラムを実行することによって、ＣＭ配信サーバ５０２の全体の制御を司る。
【００８０】
エリア振分プログラムは、後述するＣＭ区間のコピーを、放送されたエリア毎に振り分けさせる。具体的には、例えば、ナビゲーション装置５０１などからインターネットや無線を介して取得され、磁気ディスク７０５または光ディスク７０７に記録されたＣＭ区間のコピーを、このＣＭ区間のコピーに関連付けられたエリアに関する情報に基づいて、エリア毎に振り分けさせる。ここで、エリアは、各都道府県でもよいし、関東・東北などといった広域のエリアでもよい。
【００８１】
放送代行料請求プログラムは、ＣＭを配信した利用者の自宅エリアが、このＣＭを放送しているエリア以外の場合、ＣＭを放送している事業者に対して、放送代行料を請求させる。具体的には、例えば、自宅が埼玉県である利用者に、群馬県でＡ事業者が放送しているＣＭを配信した場合、Ａ事業者に放送代行料を請求させる。放送代行料の請求は、利用者にＣＭを配信する毎に請求させてもよいし、所定期間毎にまとめて請求させてもよい。
【００８２】
評価点集計プログラムは、受け付けたＣＭの評価点を集計させる。また、評価点集計プログラムは、各ＣＭの評価点の平均値を算出させて、例えば平均点に合わせて☆印などを、後述するＣＭのインデックス表示に付加して表示させてもよい。
【００８３】
磁気ディスクドライブ７０４は、ＣＰＵ７０１の制御にしたがって磁気ディスク７０５に対するデータの読み取り／書き込みを制御する。磁気ディスク７０５は、磁気ディスクドライブ７０４の制御で書き込まれたデータを記録する。磁気ディスク７０５としては、例えば、ＨＤ（ハードディスク）やＦＤ（フレキシブルディスク）を用いることができる。
【００８４】
また、光ディスクドライブ７０６は、ＣＰＵ７０１の制御にしたがって光ディスク７０７に対するデータの読み取り／書き込みを制御する。光ディスク７０７は、光ディスクドライブ７０６の制御にしたがってデータが読み出される着脱自在な記録媒体である。光ディスク７０７は、書き込み可能な記録媒体を利用することもできる。着脱可能な記録媒体として、光ディスク７０７のほか、ＭＯ、メモリカードなどであってもよい。
【００８５】
磁気ディスク７０５および光ディスク７０７に記録される情報の一例としては、ＣＭ区間のコピーが挙げられる。ＣＭ区間のコピーは、例えば、ナビゲーション装置５０１によって録画され送信された、エリア情報の関連付けられたＣＭ区間のコピーである。ＣＭ区間のコピーは、具体的には、例えば、テレビ放送内の、各都道府県または関東・東北などの各広域エリアのみで放送されているＣＭ区間の放送のコピーである。
【００８６】
音声Ｉ／Ｆ７０８は、音声出力用のスピーカ７０９に接続される。スピーカ７０９からは、所定の音声信号を音声Ｉ／Ｆ７０８内でＤ／Ａ変換した音声が出力される。
【００８７】
入力デバイス７１０は、文字、数値、各種指示などの入力のための複数のキーを備えたリモコン、キーボード、タッチパネルなどが挙げられる。入力デバイス７１０は、リモコン、キーボード、タッチパネルのうちいずれか１つの形態によって実現されてもよいが、複数の形態によって実現することも可能である。
【００８８】
映像Ｉ／Ｆ７１１は、ディスプレイ７１２に接続される。映像Ｉ／Ｆ７１１は、具体的には、例えば、ディスプレイ７１２全体を制御するグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいてディスプレイ７１２を制御する制御ＩＣなどによって構成される。
【００８９】
ディスプレイ７１２には、アイコン、カーソル、メニュー、ウインドウ、あるいは文字や画像などの各種データが表示される。ディスプレイ７１２としては、例えば、ＣＲＴ、ＴＦＴ液晶ディスプレイ、プラズマディスプレイなどを用いることができる。
【００９０】
通信Ｉ／Ｆ７１３は、無線を介してネットワークに接続され、ＣＭ配信サーバ５０２とＣＰＵ７０１とのインターフェースとして機能する。通信Ｉ／Ｆ７１３は、さらに、無線を介してインターネットなどの通信網に接続され、この通信網とＣＰＵ７０１とのインターフェースとしても機能する。通信網には、ＬＡＮ、ＷＡＮ、公衆回線網や携帯電話網などがある。具体的には、通信Ｉ／Ｆ７１３は、例えば、ＦＭチューナーなどによって構成される。
【００９１】
図３に示したコマーシャルメッセージ配信サーバ３００が備える取得部３０１、振り分け部３０２、出力部３０３、配信部３０４、受付部３０５、送信部３０６、請求部３０７は、図７に示したＣＭ配信サーバ５０２におけるＲＯＭ７０２、ＲＡＭ７０３、磁気ディスク７０５、光ディスク７０７などに記録されたプログラムやデータを用いて、ＣＰＵ７０１が所定のプログラムを実行し、ＣＭ配信サーバ５０２における各部を制御することによってその機能を実現する。
【００９２】
すなわち、実施例のＣＭ配信サーバ５０２は、ＣＭ配信サーバ５０２における記録媒体としてのＲＯＭ７０２に記録されているＣＭ配信プログラムを実行することにより、図３に示したコマーシャルメッセージ配信サーバが備える機能を、図４に示したコマーシャルメッセージ配信処理手順で実行することができる。
【００９３】
（ナビゲーション装置の処理の内容）
つぎに、ナビゲーション装置５０１の処理の内容について説明する。図８は、ナビゲーション装置の処理の内容を示すフローチャートである。図８のフローチャートにおいて、まず、車両の現在位置を取得する（ステップＳ８０１）。ついで、ステップＳ８０１において取得された車両の現在位置が、この車両の利用者の自宅エリア内か否かを判断する（ステップＳ８０２）。ステップＳ８０２において、自宅エリア内と判断された場合（ステップＳ８０２：Ｙｅｓ）、ステップＳ８０１に戻り、以降の処理を繰り返し行う。
【００９４】
一方、ステップＳ８０２において、自宅エリア内では無いと判断された場合（ステップＳ８０２：Ｎｏ）、ステップＳ８０１において取得された車両の現在位置の、エリアを判断する（ステップＳ８０３）。そして、テレビ放送の録画を開始する（ステップＳ８０４）。
【００９５】
ついでテレビ放送がステレオ放送からモノラル放送に変わったか否かを判断して（ステップＳ８０５）、モノラル放送に変わらないと判断された場合（ステップＳ８０５：Ｎｏ）、テレビ放送内にシーンチェンジがあったか否かを判断する（ステップＳ８０６）。ステップＳ８０６において、シーンチェンジがあったと判断されない場合（ステップＳ８０６：Ｎｏ）、テレビ放送内に方言が入っているか否かを判断する（ステップＳ８０７）。ステップＳ８０７において方言が入っていない場合（ステップＳ８０７：Ｎｏ）、ステップＳ８０５に戻り、一連の処理を繰り返し行う。
【００９６】
一方、ステップＳ８０５において、モノラル放送に変わった場合（ステップＳ８０５：Ｙｅｓ）、ステップＳ８０６においてシーンチェンジがあった場合（ステップＳ８０６：Ｙｅｓ）、ステップＳ８０７において方言が入っている場合（ステップＳ８０７：Ｙｅｓ）、テレビ放送内のＣＭ区間と判断する（ステップＳ８０８）。なお、ステップＳ８０５〜ステップＳ８０７においては、少なくともいずれか１つの処理をすればよく、順不同である。
【００９７】
ついで、ＣＭ区間が終わるまで待って（ステップＳ８０９：Ｎｏのループ）、ＣＭ区間が終わった場合（ステップＳ８０９：Ｙｅｓ）、ＣＭ区間の放送をコピーする（ステップＳ８１０）。なお、ステップＳ８１０においては、ステップＳ８０９：ＹｅｓにおいてＣＭ区間が終わったと判断されてから、ＣＭ区間の放送をコピーするとしているが、ＣＭ区間が終わる前にコピーを開始してもよい。
【００９８】
ついで、ステップＳ８１０においてコピーされたＣＭ区間の放送にステップＳ８０３において判断されたエリア情報を関連付けて（ステップＳ８１１）、このＣＭ区間をサーバに送信して（ステップＳ８１２）、一連の処理を終了する。
【００９９】
（ＣＭ配信サーバの処理の内容）
つぎに、ＣＭ配信サーバ５０２の処理の内容について説明する。図９は、ＣＭ配信サーバの処理の内容を示すフローチャートである。図９のフローチャートにおいて、まず、ナビゲーション装置５０１から、エリア情報の関連付けられたＣＭ区間のコピーを取得する（ステップＳ９０１）。ついで、ステップＳ９０１において取得されたＣＭ区間のコピーをエリア毎に振り分けて（ステップＳ９０２）、例えばエリア毎にインデックス表示する（ステップＳ９０３）。
【０１００】
ついで、ステップＳ９０３においてインデックス表示されたＣＭのうちで、利用者に選択されたＣＭがあるか否かを判断して（ステップＳ９０４）、選択されたＣＭが無い場合（ステップＳ９０４：Ｎｏ）、ステップＳ９０１に戻り、以降の処理を繰り返し行う。
【０１０１】
一方、ステップＳ９０４において選択されたＣＭがある場合（ステップＳ９０４：Ｙｅｓ）、選択されたＣＭを利用者に配信する（ステップＳ９０５）。そして、ステップＳ９０５においてＣＭを配信した利用者の自宅エリアが、事業者がこのＣＭを放送しているエリア外の利用者か否かを判断して（ステップＳ９０６）、エリア外の利用者であると判断された場合（ステップＳ９０６：Ｙｅｓ）、このＣＭを放送している事業者に放送代行料を請求する（ステップＳ９０７）。一方、ステップＳ９０６においてエリア内の利用者であると判断された場合（ステップＳ９０６：Ｎｏ）、そのままステップＳ９０８に進む。
【０１０２】
そして、ステップＳ９０５においてＣＭを配信した利用者から、配信したＣＭの評価点を受け付けて（ステップＳ９０８）、ステップＳ９０８において受け付けた評価点を集計する（ステップＳ９０９）。ステップＳ９０９において集計された評価点に基づいて、各ＣＭにランク付けをして（ステップＳ９１０）、ＣＭを放送している事業者にランク情報を送信する（ステップＳ９１１）。また、ステップＳ９１０においてランク付けされたＣＭのランク情報を表示して（ステップＳ９１２）、一連の処理を終了する。なお、ステップＳ９１２においては、ランク情報をステップＳ９０３において表示されたインデックス表示に関連付けて表示してもよい。
【０１０３】
なお、図９のフローチャートにおいては、ステップＳ９１２、ステップＳ９１１およびステップＳ９１２、またはステップＳ９０８〜ステップＳ９１２を省略してもよい。
【０１０４】
また、図９のフローチャートにおいては、ステップＳ９０６：Ｙｅｓにおいてエリア外の利用者と判断された場合、ステップＳ９０７において放送代行料を請求するとしているが、これに限るものではない。例えば、ステップＳ９１１において事業者ににランク情報を送信したときに、放送代行料を請求してもよい。
【０１０５】
（インデックス表示の一例）
つぎに、図１０を用いて、図９のステップＳ９０３におけるインデックス表示の一例について説明する。図１０は、インデックス表示の一例について示す説明図である。図１０に示すように、インデックス表示は、例えばナビゲーション装置５０１のディスプレイ６１３に、エリア情報１００１と、ＣＭ情報１００２と、が表示されている。そして、例えば各ＣＭ情報１００２に、評価情報１００３と、ランク情報１００４と、が関連付けられて表示されている。
【０１０６】
エリア情報１００１は、図９のステップＳ９０２において振り分けられたエリアに関する情報であり、例えばどの都道府県かを示す情報である。ＣＭ情報１００２は、ステップＳ９０１において取得されたＣＭ区間のコピーに関する情報であり、ＣＭ区間のコピーの一部の画像を表示してもよいし、ＣＭ区間のコピーに関する文字情報でもよい。また、評価情報１００３は、ステップＳ９０９において集計された評価点に関する情報であり、例えば、評価点の平均値に合わせた数の☆印を付加して表示する構成でもよい。さらに、ランク情報１００４は、ステップＳ９１０においてランク付けされ、ステップＳ９１２において表示されたランク情報であり、例えば、各エリア毎に、最も評価点の高いＣＭ情報１００２から順番に、順位を示してもよい。
【０１０７】
上述したように、実施例のナビゲーション装置５０１によれば、車両が自宅エリア外を走行しているときに、自宅エリア外で放送しているＣＭを自動的に録画することができる。したがって、利用者は、自宅エリアでは放送されていないＣＭを収集することができる。さらに、録画したＣＭがＣＭ配信サーバに送信されることで、各エリアでしか視聴できないＣＭを、様々なエリアの利用者と共有することができる。これによって、利用者は、自宅エリア外や自身が訪問したことのないエリアのＣＭを視聴することができる。
【０１０８】
また、実施例のＣＭ配信サーバ５０２によれば、利用者は、所定のエリアでしか放送されていないＣＭを、簡単に検索することができる。また、評価情報１００３やランク情報１００４がともに表示されているため、人気のあるＣＭを簡単に検索することができる。さらに、ＣＭ情報１００２を選択することで、ＣＭ配信サーバ５０２から、選択したＣＭを配信されることができるため、例えば自宅エリアでは視聴できないＣＭを視聴することができる。
【０１０９】
なお、本実施の形態で説明した自動録画方法およびコマーシャルメッセージ配信方法は、あらかじめ用意されたプログラムをパーソナル・コンピュータ、ワークステーション、携帯端末装置（携帯電話）などのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【図面の簡単な説明】
【０１１０】
【図１】実施の形態１にかかる自動録画装置の機能的構成を示すブロック図である。
【図２】自動録画装置の自動録画処理手順を示すフローチャートである。
【図３】実施の形態２にかかるコマーシャルメッセージ配信サーバの機能的構成を示すブロック図である。
【図４】コマーシャルメッセージ配信サーバのコマーシャルメッセージ配信処理手順を示すフローチャートである。
【図５】ＣＭ配信システムの概要について示す説明図である。
【図６】本実施例にかかるナビゲーション装置のハードウェア構成を示すブロック図である。
【図７】本実施例にかかるＣＭ配信サーバのハードウェア構成を示すブロック図である。
【図８】ナビゲーション装置の処理の内容を示すフローチャートである。
【図９】ＣＭ配信サーバの処理の内容を示すフローチャートである。
【図１０】インデックス表示の一例について示す説明図である。
【符号の説明】
【０１１１】
１００  自動録画装置
１０１  受信部
１０２  取得部
１０３  地域判断部
１０４  放送判断部
１０５  録画部
１０６  関連付け部
１０７  送信部
【図１】
0005221204.tif 000002
【図２】
0005221204.tif 000003
【図３】
0005221204.tif 000004
【図４】
0005221204.tif 000005
【図５】
0005221204.tif 000006
【図６】
0005221204.tif 000007
【図７】
0005221204.tif 000008
【図８】
0005221204.tif 000009
【図９】
0005221204.tif 000010
【図１０】
0005221204.tif 000011